(57)【要約】【課題】雨水を考慮した耐震性の高い墓石に関する。【解決手段】下側に位置する石材の載置面には、所定の深さを有する嵌合凹部３２〜６２が形成されると共に、嵌合凹部の中央部には、石材載置面から石材の底面まで貫通する排水孔３４〜６６が穿設される。  石材載置面に所定の深さの嵌合凹部を形成することで、積層される石材は必ず下側の石材に嵌合固定されるから、強固な積層構造体となるので、強い地震が発生しても墓石全体が倒壊するおそれはない。排水孔を穿設したので、仮に嵌合凹部内に雨水が浸み込んでも速やかに排水できるので、嵌合凹部部分での塗装材の劣化を防止できる。【選択図】        図２
2008297767.tif 000002
【特許請求の範囲】
【請求項１】
竿石、上台、中台などの石材が積層されて構成される墓石であって、
下側に位置する石材の載置面には、所定の深さを有する嵌合凹部が形成されると共に、
上記嵌合凹部の中央部には、上記載置面から上記石材の底面まで貫通する排水孔が穿設された
ことを特徴とする墓石。
【請求項２】
上記嵌合凹部の深さは、積層される石材の全ての総露出高のほぼ５％に設定される
ことを特徴とする請求項１記載の墓石。
【請求項３】
上記嵌合凹部と排水孔とは傾斜面によって連通される
ことを特徴とする請求項１記載の墓石。
【発明の詳細な説明】
【技術分野】
【０００１】
この発明は墓石に関する。詳しくは、竿石（棹石）、上台、中台などの石材を積層した積層構造の墓石であって、上方の石材を下方の石材に設けた嵌合凹部に嵌合固定することで耐震性を改善すると共に、雨水対策を講じた墓石に関する。
【背景技術】
【０００２】
地震による倒壊は、家屋に限らず、お墓もその例に漏れない。地震によって墓石が無惨にも倒壊した姿は先祖の霊を祀るシンボルの姿としては痛々しい。最近、墓石には耐震設計がなされたものがある。その代表的な例は、ほぞを付けたものである。これは、上方の石材を載置する下方の石材に部材接合用の突起（石柱など）を立て、上方の石材にはほぞ穴を穿っておき、石柱をこのほぞ穴に嵌め込むことで、互いに接合する構造である。
【発明の開示】
【発明が解決しようとする課題】
【０００３】
ところで、このようなほぞを付けた墓石の場合には、多少の地震が起きても墓石が倒壊するおそれはないが、通常竿石とこの竿石が載る上台や蓮華台との間にほぞが付けられているだけである。
【０００４】
そのため、中程度以上の地震（例えば、震度５以上）が発生したようなときには、耐えきれず倒壊するおそれが強い。
【０００５】
また、従来の墓石には雨水対策が施されていないために、積層された載置面にコンクリート材などを塗装するだけでは、長年の風雨には耐えきれず、積層石材間の接合強度が劣化してしまう問題があった。
【０００６】
そこで、この発明はこのような従来の課題を解決したものであって、特に独立した複数の石材を積層して墓石が構成されているとき、石材載置面に所定の深さの嵌合凹部を設けることで、載置された石材の倒壊を防止すると共に、雨水による対策を講じて接合強度の劣化を防止できる墓石を提案するものである。
【課題を解決するための手段】
【０００７】
上述の課題を解決するため、請求項１に記載したこの発明に係る墓石は、竿石、上台、中台などの石材が積層されて構成される墓石であって、
下側に位置する石材の載置面には、所定の深さを有する嵌合凹部が形成されると共に、
上記嵌合凹部の中央部には、上記載置面から上記石材の底面まで貫通する排水孔が穿設されたことを特徴とする。
【０００８】
この発明では、複数の石材を積層して構成される積層構造の墓石である。石材の載置面には、所定の深さの嵌合凹部が形成される。嵌合凹部の深さは、積層される全ての石材の総露出高に基づいて決定される。不倒防止の観点と石材加工などの観点から、その深さは総露出高のほぼ５％程度が好ましい。こうすることで、石材の積層位置によってその載置面に彫られる嵌合凹部の深さが異なり、下層ほど深くえぐられた構造となる。
【０００９】
こうすれば、積層の安定感が増し、強い地震が発生しても墓石全体の倒壊を防止できる。
【００１０】
また、嵌合凹部のほぼ中央部には底面まで貫通する排水孔が穿設される。経年変化などによって嵌合凹部内に浸み込んだ雨水でも、これを確実に下方に排水できる。これによって嵌合凹部に塗装された塗装材の接合強度が劣化するのを防止できる。排水孔は浸み込んだ僅かな雨水を速やかに排水するためのものであるから、排水孔の内径は僅かでよい。好ましくは、３ｍｍていどの内径で十分である。嵌合凹部は排水孔に向かって多少の傾斜面とするのが好ましい。排水効果を高めるためである。
【発明の効果】
【００１１】
この発明では、石材載置面に所定の深さの嵌合凹部を形成することで、積層される石材は必ず下側の石材に嵌合固定されるから、強固な積層構造体となるので、強い地震が発生しても墓石全体が倒壊するおそれはない。また、石材には排水孔を穿設したので、仮に嵌合凹部内に雨水が浸み込んでも速やかに排水できるので、嵌合凹部部分での塗装材の劣化を防止できるなどの特徴を有する。
【発明を実施するための最良の形態】
【００１２】
続いて、この発明に係る墓石の好ましい実施例を図面を参照して詳細に説明する。
【実施例１】
【００１３】
図１はこの発明に係る墓石の一例を示す要部構成図である。図１に示す墓石１０は、複数の石材が積層された積層型の墓石であって、墓標としての竿石２０を始めとして，この例では竿石２０を支える蓮華台３０，蓮華台３０を支える上台４０，上台４０を支える中台５０およびこの中台５０を支える芝台６０で構成される。芝台６０はカロート蓋（図示はしない）によって支えられる。カロート蓋が外柵内のグランド面ＧＬとなる。
【００１４】
竿石２０の大きさによって、竿石２０以下を支える石材の大きさが定まる。例えば、竿石２０が１０寸角の石材を使用したとすると、例えば上台４０は１尺６寸角の石材が使用され、中台５０は２尺３寸角の石材が使用され、そして芝台６０は３尺２寸の石材が使用される。
【００１５】
さて、この発明では、石材が載置される面内に嵌合凹部が形成される。図２を参照して説明する。図２は説明の都合上、図１をさらに簡略化して図示してある。芝台６０を支えているのがカロート７０である。竿石２０，蓮華台３０、上台４０、中台５０および芝台６０のそれぞれの高さ（露出している部分）を、Ｈａ、Ｈｂ，Ｈｃ，ＨｄおよびＨｅとする。
【００１６】
この発明では、石材が載置される面、したがって蓮華台３０以下の石材の各載置面３０ａ、４０ａ、５０ａおよび６０ａには、所定の深さをもった嵌合凹部３２，４２，５２および６２がそれぞれ設けられる。
【００１７】
嵌合凹部３２〜６２の形状は、嵌合される石材の大きさと同じか、これよりも若干多き目に選定される。載置される石材のサイズよりも余り大きいと、載置された石材を確実に嵌合固定できなくなることに加え、嵌合凹部３２〜６２内に雨水が浸み込み易くなるからである。
【００１８】
それぞれの石材３０〜６０に設けられる嵌合凹部３２〜６２の深さは、載置される位置によって相違し、下層の石材ほど深くなる。嵌合する石材の安定性を考慮したものであって、下層ほど嵌合凹部３２〜６２の深さが順次深くなるように設計されている。
【００１９】
嵌合凹部３２〜６２の深さは、そこに載置される石材のトータルの露出高（総露出高）によって決まり、この例では総露出高の５％程度である。５％程度を超えると、石材の単価の問題が浮上し、５％程度以下であると、安定性が悪くなると考えられるからである。以下５％に選定した場合について、蓮華台３０の構成から順次説明する。
【００２０】
（１）蓮華台３０と竿石２０の関係について
竿石２０の高さ（露出高）Ｈａは、通常７８８ｍｍ程度であるので、蓮華台３０に設けられた嵌合凹部３２の深さΔＨａは３９．４ｍｍ、約３９ｍｍとなる。したがって露出高Ｈａと、深さΔＨａを考慮して竿石２０の長さが決まるので、竿石２０としては従来使用されている竿石よりも５％長い石材（Ｈａ'＝Ｈａ＋ΔＨａ＝７８８＋３９．４＝８２７．４ｍｍ）が使用される。
【００２１】
（２）上台４０と蓮華台３０の関係について
上台４０に設けられる嵌合凹部４２の深さΔＨｂは、この上台４０に載置される全ての石材の総露出高の５％程度である。蓮華台３０が１尺５寸角程度であるときは、その高さ（露出高）は１６７ｍｍ程度であるため、このときの総露出高は、（７８８＋１６７＝９５５ｍｍ）となる。その結果、この総露出高の５％に当たる４７．８ｍｍが上台４０に形成される嵌合凹部４２の深さΔＨｂとなる。そして、そのときに使用される蓮華台３０としては、従来よりも深さΔＨｂだけ長い２１４．８ｍｍ（Ｈｂ'＝Ｈｂ＋ΔＨｂ＝１６７＋４７．８）の石材が使用される。
【００２２】
（３）中台５０と上台４０の関係について
上台４０の高さが、３３３ｍｍ程度であるとき、中台４０までの総露出高は、（７８８＋１６７＋３３３＝１２８８）ｍｍとなるから、これの５％に当たる６４．４ｍｍが、中台５０における嵌合凹部５２の深さΔＨｃとなる。
したがって、上台４０としては、通常の長さより６４．４ｍｍだけ長い石材（Ｈｃ'＝Ｈｃ＋ΔＨｃ＝３３３＋６４．４＝３９７．４ｍｍ）が使用される。
【００２３】
（４）芝台６０と中台５０の関係について
最後に、中台５０の露出高が３６４ｍｍであるときには、中台５０までの総露出高は、（７８８＋１６７＋３３３＋３６４＝１６５２）ｍｍとなるので、その５％に当たる８２．６ｍｍが芝台６０に設けられる嵌合凹部６２の深さΔＨｄとなる。
【００２４】
そして、中台５０としては、通常より８２．６ｍｍ長い石材（Ｈｄ'＝Ｈｄ＋ΔＨｄ＝３６４＋８２．６＝４６６．６ｍｍ）が用いられる。
【００２５】
なお、この例では、芝台６０としては３尺２寸角で、その高さが１８０ｍｍサイズの石材が使用されている。
【００２６】
このようにこの発明では、載置される石材の位置に応じて嵌合凹部の深さと長さが選定される。
【００２７】
さらにこの発明では、図２に示すようにそれぞれの石材である蓮華台３０，上台４０，中台５０および芝台６０のそれぞれに設けられた嵌合凹部３２，４２，５２および６２のほぼ中央部には、それぞれの底面側まで貫通する排水孔３４，４４，５４および６４が穿設される。
【００２８】
これら排水孔３４〜６４と、嵌合凹部３２，４２，５２および６２とは傾斜面３６，４６，５６および６６によって連通され、嵌合凹部３２〜６２内に浸み込んだ雨水が必ず、速やかに排水孔３４〜６４側に集まるようになされている。
【００２９】
嵌合凹部３２〜６２内での石材のいわゆる「座り」を考慮して、嵌合凹部３２〜６２の底面部３６〜６６は傾斜面となされている。図３を参照して説明する。
【００３０】
図３は蓮華台３０の要部断面図であって、嵌合凹部３２に内接する内接円までの半径をｒとしたとき、中心から１／２程度の半径ｒ／２までは傾斜面３６ｂとなされ、それ以降は平坦面３６ａとなされる。この場合、平坦面３６ａからは徐徐に排水孔３４に向かって傾斜するような緩やかな傾斜面３６ｂとなされている。傾斜面３６ｂはごく僅かに傾斜していればよいので、傾斜角はごく僅か（数度以内）である。
【００３１】
このように底面部３６の中心部付近のみ傾斜面３６ｂとし、それ以外の底面部３６を平坦面３６ａとして形成すれば、図４に示すように嵌合凹部３２内に竿石２０を嵌合させた場合、竿石２０のいわゆる座りがよくなり、竿石２０を安定した状態で蓮華台３０に固定できる。平坦面３６ａと傾斜面３６ｂの割合は、一例に過ぎない。割合は、石材の座りと、浸み込んだ雨水の排水効果との兼ね合いから決定されることになる。
【００３２】
なお、蓮華台３０に竿石２０を固定する場合には、図４に示すように予め嵌合凹部３２の平坦面３６ａにコンクリートなどの塗装材８０を塗布してから嵌合作業が行われる。そして、竿石２０を載置してからは、嵌合凹部３２と竿石２０との嵌合部（目地）にも塗装材８０が塗布される。雨水の浸み込みに対する防水対策である。
【００３３】
他の嵌合凹部４２，５２および６２についても、同様な構成が採用されているが、その説明は割愛する。
【００３４】
図２に戻って説明すると、芝台６０に穿設された排水孔６４と対向するカロート蓋７２には、排水孔６４と同程度からこれよりも太い貫通孔７４が穿設されると共に、この貫通孔７４を覆うように雨水導出管７６がカロート蓋７２の内側に配設される。この雨水導出管７６は外柵の外側であって、墓石１０の裏側に導かれる。
【００３５】
このように上層の石材を下層の石材に嵌合することで、積層された全ての石材が相互に強固に嵌合固定されたことになる。特に嵌合凹部の深さを、下層に行くほど深くすることで、石材が積み上げられても嵌合状態が安定する。その結果、大きな地震などが発生した場合でも、石材の倒壊、特に全ての石材の倒壊を未然に防止できる。
【００３６】
さらに、石材同士の嵌合部分には塗装材を塗布することで、一層強固に各石材同士を連結することができる。また、経年劣化等によって塗装材を介して目地の部分から嵌合凹部内に雨水が浸み込んだとしても、浸み込んだ雨水は速やかに排水孔側に集められ、排水孔を介して外部に排水できる。その結果、嵌合凹部内に雨水が滞留して、塗装材の劣化を早めるようなおそれはない。
【００３７】
上述した実施例は、５段式の積層型墓石についてこの発明を適用したが、積層数や、墓石の構成については特に制限されるものではない。さらに、この発明はお墓を構成する外柵や、傘付き親柱などの他に、墓標、墓碑などにも適用できる。
【産業上の利用可能性】
【００３８】
この発明では、各種墓地に設置される墓石に適用できる。
【図面の簡単な説明】
【００３９】
【図１】この発明に係る積層型の墓石の概念図である。
【図２】その要部概念図である。
【図３】嵌合凹部を示す一部断面図である。
【図４】嵌合凹部内に石材を嵌合させた状態の一部断面図である。
【符号の説明】
【００４０】
１０・・・墓石
２０・・・竿石
３０・・・蓮華台
４０・・・上台
５０・・・中台
６０・・・芝台
７０・・・カロート
３２〜６２・・・嵌合凹部
３４〜６４・・・排水孔
３６〜６６・・・底面部
３６ａ・・・平坦面
３６ｂ・・・傾斜面
７６・・・雨水導出管
【図１】
2008297767.tif 000003
【図２】
2008297767.tif 000004
【図３】
2008297767.tif 000005
【図４】
2008297767.tif 000006